(57)【要約】【課題】ＰＥＴで用いる放射線薬剤に無駄を発生しないように在庫管理を支援するための在庫管理支援システム及び在庫管理方法を提供すること。【解決手段】核医学診断装置による検査において用いられる、半減期に基づいて減衰する放射線薬剤の在庫量を前記半減期よりも短い間隔で確認して在庫管理を行う在庫管理支援システムであって、検査の予定日時と、検査における放射線薬剤の使用量とを含む検査情報を受け、予定日時、半減期及び検査情報を受けた時点での在庫量に基づいて検査の予定日時における放射線薬剤の在庫量を求める演算手段１２１と、検査における放射線薬剤の使用量と検査の予定日時における放射線薬剤の在庫量とを比較し、該在庫量が検査における放射線薬剤の使用量より少ないと判定された場合に報知する報知手段１２２、１０３を備えることを特徴とする。【選択図】図１
2009023824.tif 000002
【特許請求の範囲】
【請求項１】
核医学診断装置による検査において用いられる、半減期に基づいて減衰するＰＥＴ検査用の放射線薬剤の在庫管理を支援する在庫量を前記半減期よりも短い間隔で確認して在庫管理を行う在庫管理支援システムであって、
前記確認時に、検査の予定日時と、前記検査における放射線薬剤の使用量とを含む検査情報を受ける検査情報入力手段と、
前記検査情報及び現時点での放射性薬剤の在庫量に基づいて、前記検査の予定日時における放射線薬剤の在庫量を求めるものであり、前記半減期よりも短い間隔で前記在庫量を求める演算手段と、
前記検査における放射線薬剤の使用量と前記検査の予定日時における放射線薬剤の在庫量とを比較し、該在庫量が前記検査における放射線薬剤の使用量より少ないと判定された場合に報知する報知手段を備えることを特徴とする在庫管理支援システム。
【請求項２】
前記演算手段は、前記確認時点から前記予定日時迄の経過時間を求め、前記経過時間と前記半減期に基づいて減衰率を求め、前記検査情報を受けた前記確認時点での在庫量と前記求めた減衰率との積を求め、前記積を前記検査の予定日時における放射線薬剤の在庫量とする請求項１に記載の在庫管理支援システム。
【請求項３】
前記演算手段は、前記検査情報を受けた前記確認時点の前に検査が行われていた場合には、該検査における使用後の在庫量、前記使用された日時及び半減期に基づいて前記確認時点での在庫量を求める請求項１または請求項２に記載の在庫管理支援システム。
【請求項４】
前記演算手段は、前記使用された日時から前記検査情報を受けた前記確認時点迄の経過時間を求め、該経過時間と前記半減期に基づいて減衰率を求め、求めた減衰率と前記検査における使用後の在庫量との積を求め、前記積を前記検査情報を受けた時点での在庫量とする請求項３に記載の在庫管理支援システム。
【請求項５】
前記報知手段は、前記少ないと判定された在庫量と、前記検査における放射線薬剤の使用量とを報知する請求項１乃至請求項４のいずれかに記載の在庫管理支援システム。
【請求項６】
前記演算手段は、前記検査が複数あってそれらの前記検査情報を受けた場合には、前記複数の検査のそれぞれについてその検査の予定日時、前記半減期及び各検査における放射線の使用量に基づいてその検査の予定日時の使用直前における放射線薬剤の在庫量を求め、
前記報知手段は、それぞれの検査について放射線薬剤の使用量とその検査の予定日時の使用直前における放射線薬剤の在庫量とを比較し、該在庫量がその検査における放射線薬剤の使用量より少ないと判定された場合に報知する請求項１に記載の在庫管理支援システム。
【請求項７】
前記演算手段は、その検査の前の検査の予定日時からその検査の予定日時迄の経過時間を求め、前記経過時間と前記半減期に基づいて減衰率を求め、前記前の検査の予定日時の使用直前における在庫量とそのときの使用量との差と前記求めた減衰率との積を求め、前記積をその検査の予定日時における放射線薬剤の在庫量とする請求項６に記載の在庫管理支援システム。
【請求項８】
前記報知手段は、前記少ないと判定された在庫量と、その検査における放射線薬剤の使用量及びその検査を行う検査日にその検査以降に行われる検査の予定日時及び放射線薬剤の使用量とを報知する請求項６または請求項７に記載の在庫管理支援システム。
【請求項９】
前記受けた検査の予定日時と、前記検査における放射線薬剤の使用量と、前記演算手段により求めた前記検査の予定日時における放射線薬剤の在庫量とを関連付けて記憶する記憶手段と、
前記記憶された検査についての予定日時または放射線薬剤の使用量の変更を示す変更情報を受け、前記変更情報に基づいて前記記憶手段に記憶されている予定日時または放射線薬剤の使用量の更新を行うとともに、前記演算手段に対して新たに在庫量を求めさせ、求めた在庫量で前記記憶された前記放射線薬剤の在庫量の更新を行う更新手段をさらに備え、
前記報知手段は、前記更新後に前記比較を行い、前記在庫量が少ないと判定された場合に前記報知を行う請求項１乃至請求項８のいずれかに記載の在庫管理支援システム。
【請求項１０】
前記予定時間、使用量、在庫量の少なくとも１つが変更されたときには即時に確認を行うことを特徴とする請求項９記載の在庫管理支援システム。
【請求項１１】
前記更新手段は、前記放射線薬剤の追加日時及び追加量を示す放射線薬剤追加情報を受け、前記放射線薬剤追加情報に基づいて前記記憶手段に記憶された前記放射線薬剤の在庫量の更新をさらに行う請求項９に記載の在庫管理支援システム。
【請求項１２】
核医学診断装置による検査において用いられる、半減期に基づいて減衰する放射線薬剤の在庫量を前記半減期よりも短い間隔で確認して在庫管理を行う在庫管理支援システムを用いた在庫管理方法であって、
前記確認時に検査の予定日時と、前記検査における放射線薬剤の使用量とを含む検査情報を受ける段階と、
前記予定日時、前記半減期及び前記検査情報を受けた前記確認時点での在庫量に基づいて前記検査の予定日時における放射線薬剤の在庫量を求める段階と、
前記検査における放射線薬剤の使用量と前記検査の予定日時における放射線薬剤の在庫量とを比較する段階と、
前記検査の予定日時における在庫量が前記検査における放射線薬剤の使用量より少ないと判定された場合に報知する段階を含むことを特徴とする在庫管理方法。
【発明の詳細な説明】
【技術分野】
【０００１】
本発明は、ＰＥＴ（Ｐｏｓｉｔｒｏｎ  Ｅｍｉｓｓｉｏｎ  Ｔｏｍｏｇｒａｐｈｙ）装置による検査に用いられる放射線薬剤であるＦ１８−ＦＤＧ（Ｆ１８−ｆｌｕｏｒｏ−２−ｄｅｏｘｙ−Ｄ−ｇｌｕｃｏｓｅ）の在庫量の管理を支援する在庫管理支援システム及び在庫管理方法に関する。
【背景技術】
【０００２】
近年、ＳＰＥＣＴ（Ｓｉｎｇｌｅ  Ｐｈｏｔｏｎ  Ｅｍｉｓｓｉｏｎ  Ｃｏｍｐｕｔｅｄ  Ｔｏｍｏｇｒａｐｈｙ）装置やＰＥＴ装置、あるいはこれら双方の機能を備えたＳＰＥＣＴ／ＰＥＴ装置などの核医学診断装置が臨床に供され、注目を集めている。
【０００３】
ＳＰＥＣＴ装置は、患者等の被検体に投与されたＲＩ（Ｒａｄｉｏｉｓｏｔｏｐｅ）から放出されるガンマ線等の放射線を放射線検出器で検出して、被検体内におけるＲＩの分布画像を取得することにより、体内の病変部の画像や、血流量、脂肪酸代謝量などの機能分布画像を表示する装置である。また、ＰＥＴ装置は、複数の放射線検出器を備え、放射線薬剤を用いることにより陽電子が電子と結合して消滅する際に互いに逆方向に放出される一対のガンマ線を同時検出してイメージングを行う装置である。
【０００４】
ＰＥＴ装置による検査では、放射線薬剤として多くの場合Ｆ１８−ＦＤＧが用いられる（例えば、特許文献１参照。）。ここでＦＤＧは、フルオロデキシグルコースの略であり、ブドウ糖を放射性核種で指標付けしたものを言う。
【０００５】
従来、Ｆ１８−ＦＤＧは、診療施設内にサイクロトロンを設置し施設内で製剤する方法がとられていた。サイクロトロンを設置するためには、高額の資金、広い土地などが必要とされた。また、自施設において大量に作成しても、他に譲渡することが法的にできない。しかし、近年、薬剤メーカーからのデリバリーによりＦ１８−ＦＤＧは購入できるようになった。これにより、サイクロトロン等に関する初期投資・維持費が不要となる。また、検査計画に合わせて、施設内での製剤による方法、または、薬剤メーカーからの購入の選択、或いはデリバリーによる２通りの購入及びデリバリーを併用して調達することが可能となった。これにより、ＰＥＴ検査の導入・開始が普及してゆくものと思われる。
【０００６】
【特許文献１】特開２００６−１３３２０５号公報
【発明の開示】
【発明が解決しようとする課題】
【０００７】
しかしながら、通常のＳＰＥＣＴに用いるＲＩの場合においては、例えば数日前に１週間分纏めて購入し在庫しておき用いることが可能であったが、ＰＥＴで用いるＦ１８−ＦＤＧの放射性核種Ｆ−１８の半減期は、１０９．８分と非常に短いので、在庫が多ければ無駄になりやすく、また、検査計画に変更などが生じた場合にも無駄を生じる場合があった。また、Ｆ１８−ＦＤＧはデリバリーでも高価なものに変わりなく、また原料となるＯ―１８の水が高価であるため施設内の製剤によっても高価なものであるから、無駄を生じた場合には、大きなコスト損失を生じることになる。したがって、Ｆ１８−ＦＤＧを有効に用いることが望まれ、無駄を発生しないように、調達及び在庫の管理を行うことが求められる。
【０００８】
本発明は、上記事情に鑑みてなされたものであり、その目的とするところは、ＰＥＴで用いる放射線薬剤に無駄を発生しないように在庫管理を支援するための在庫管理支援システム及び在庫管理方法を提供することにある。
【課題を解決するための手段】
【０００９】
上記課題を解決するために請求項１記載の発明は、核医学診断装置による検査において用いられる、半減期に基づいて減衰するＰＥＴ検査用の放射線薬剤の在庫管理を支援する在庫量を前記半減期よりも短い間隔で確認して在庫管理を行う在庫管理支援システムであって、前記確認時に、検査の予定日時と、前記検査における放射線薬剤の使用量とを含む検査情報を受ける検査情報入力手段と、前記検査情報及び現時点での放射性薬剤の在庫量に基づいて、前記検査の予定日時における放射線薬剤の在庫量を求めるものであり、前記半減期よりも短い間隔で前記在庫量を求める演算手段と、前記検査における放射線薬剤の使用量と前記検査の予定日時における放射線薬剤の在庫量とを比較し、該在庫量が前記検査における放射線薬剤の使用量より少ないと判定された場合に報知する報知手段を備えることを特徴とする。
【００１０】
また、請求項１２記載の発明は、核医学診断装置による検査において用いられる、半減期に基づいて減衰する放射線薬剤の在庫量を前記半減期よりも短い間隔で確認して在庫管理を行う在庫管理支援システムを用いた在庫管理方法であって、前記確認時に、検査の予定日時と、前記検査における放射線薬剤の使用量とを含む検査情報を受ける段階と、前記予定日時、前記半減期及び前記検査情報を受けた前記確認時点での在庫量に基づいて前記検査の予定日時における放射線薬剤の在庫量を求める段階と、前記検査における放射線薬剤の使用量と前記検査の予定日時における放射線薬剤の在庫量とを比較する段階と、前記検査の予定日時における在庫量が前記検査における放射線薬剤の使用量より少ないと判定された場合に報知する段階を含むことを特徴としている。
【発明の効果】
【００１１】
本発明の在庫管理支援システム及び在庫管理方法によれば、ＰＥＴで用いる放射線薬剤の半減期による減衰を考慮してこの半減期よりも短い間隔で在庫量を求め、検査に使用する使用量と比較して在庫量が少ない場合に報知するので、放射線薬剤の調達を適宜行えるようになり、放射線薬剤の無駄を発生しないようにすることが可能となる。
【発明を実施するための最良の形態】
【００１２】
本発明の在庫管理支援システムは、ＰＥＴ検査において用いられる放射線薬剤の在庫量を確認して管理するシステムであり、放射線薬剤としてＦ１８−ＦＤＧ（単にＦＤＧと称することもある）を用いた場合の在庫量の管理を支援するシステムである。そして、前記確認する間隔を前記ＦＤＧの半減期（１０９．８分）よりも短い期間（例えば３０分）に設定している。以下、本発明の実施形態について図面を用いて説明する。
【００１３】
（システム構成）
図１は、本発明の在庫管理支援システムの一実施形態の構成を示す機能ブロック図である。まず、在庫管理端末１は、専用通信回線やインターネット等のネットワークＮにより、検査オーダ装置３、施設内のＦ１８−ＦＤＧの製剤を行う製剤部門に設置されたＡ端末２、及び、Ｆ１８−ＦＤＧを供給する薬剤メーカーに設置されたＢ端末４と接続されている。
【００１４】
検査オーダ装置３は、いわゆるサーバで構成され、例えばＲＩＳ（放射線部門管理システム）またはＨＩＳ（病院情報システム）などがこれに相当する。検査オーダ装置３は、検査オーダ装置の操作者が操作して検査の依頼または検査内容などを指示するための検査オーダ情報を入力するための入力手段としての機能と、検査オーダ情報をネットワークＮを介して在庫管理端末１に送信する機能とを有する。検査オーダ情報は、具体的には、患者名または患者ＩＤ、性別、生年月日、検査日時、検査の対象となる部位を含む。検査日時は、患者に放射線薬剤を投与する日時であり、本発明における予定時間を示す。
【００１５】
Ａ端末２は、製剤部門の操作者が使用するもので、所謂コンピュータ端末で構成される。ネットワークＮを介して情報の送受信を行う通信手段２０１、在庫管理端末１から通信手段２０１を介して各種情報を受け付け、受け付けた情報に基づいて表示手段２０３で表示を行うとともに、入力手段２０４での入力を受けて通信手段２０１を介して情報を在庫管理端末１に送信するウェブブラウザ機能を有する管理手段２０２を備えている。
【００１６】
Ａ端末２は、在庫管理端末１から放射線薬剤の発注を示す発注情報を通信手段２０１を介して受ける。その発注情報は、放射線薬剤の発注量及び納入時期を含んでおり、発注情報を受けると操作者は、ブラウザ機能を用いて、入力手段２０４から、その発注に対する放射性薬剤の納入時期及び納入量の回答を入力し、放射性薬剤の納入時期及び納入量を示す納入情報を在庫管理端末１に送信する。また、発注情報または納入情報の送受信を電子メールで行うことも可能である。納入時期及び納入量はそれぞれ本発明の追加日時及び追加量に相当し、納入情報は本発明の放射線薬剤追加情報に相当する。
【００１７】
Ｂ端末４は、薬剤メーカーの操作者が使用するもので、所謂コンピュータ端末で構成される。ネットワークＮを介して情報の送受信を行う通信手段４０１、在庫管理端末１から通信手段４０１を介して各種情報を受け付け、受け付けた情報に基づいて表示手段４０３で表示を行うとともに、入力手段４０４での入力を受けて通信手段４０１を介して情報を在庫管理端末１に送信するウェブブラウザ機能を有する管理手段４０２を備えている。
【００１８】
Ｂ端末４は、Ａ端末２と同様に、在庫管理端末１から放射線薬剤の発注を示す発注情報を通信手段４０１を介して受け、操作者は、ブラウザ機能を用いて、入力手段４０４から、その発注に対する放射性薬剤の納入時期及び納入量の回答を入力し、放射性薬剤の納入時期及び納入量を示す納入情報を在庫管理端末１に送信する。
【００１９】
つまり、Ａ端末２またはＢ端末４は、納入情報を入力するための入力手段を構成する。
【００２０】
在庫管理端末１は、いわゆるサーバで、前記放射線試薬であるＦ１８−ＦＤＧの半減期（１０９．８分）よりも短い確認間隔（例えば３０分）で確認を行うようにしている。この場合は、上記の検査オーダ装置３から送信される検査オーダ情報を受信し、検査の検査時間における放射線薬剤の在庫量などをデータベースに登録し、例えば、検査において放射線薬剤の使用量が在庫量より少ない場合に報知する。また、上記の納入情報や、後述する検査についての変更を示す変更情報を受けて、データベースの更新を行う。また、図１に示すように、在庫管理端末１は、入力手段１０４、表示手段１０３、通信手段１０１、記憶手段１０５及び制御部１０２で構成される。
【００２１】
表示手段１０３は、画像、レポート等の各種表示を行うためのもので、ＬＣＤやＣＲＴなどで構成されている。
【００２２】
通信手段１０１は、送受信インターフェイス回路などから構成され、各種指示、各種要求、及び、各種データをネットワークＮを介して送受信する処理を実行する。
【００２３】
入力手段１０４は、各種入力を行うための、キーボード等の入力デバイスや、マウス等のポインティングデバイスから構成されている。在庫管理端末１の操作者は、入力手段１０４を用いて各検査における放射線薬剤の使用量である投与量の入力を行う。すなわち、本発明の検査の予定日時（検査日時）、検査における放射線薬剤の使用量（投与量）を含む検査情報を入力するための入力手段は、検査オーダ装置３及び入力手段１０４で構成される。
【００２４】
また、操作者は、検査についての検査日時または放射線薬剤の投与量の変更を示す変更情報の入力を行う。すなわち、入力手段１０４は、変更情報を入力するための入力手段を構成する。また、変更情報の入力手段としての機能を検査オーダ装置３が有するようにしてもよい。
【００２５】
記憶手段１０５は、例えばハードディスクなどで構成され、上述の在庫量を管理するためのデータベースを記憶している。ここで、図２にデータベースの構成を示す。図２に示すように、データベースは、各検査のそれぞれについて、検査日時、患者名または患者ＩＤを示す患者、検査部位、放射線薬剤の投与量、及び、検査を開始するときの放射線薬剤の在庫量（図２では、α、β、γ・・・で示す）を在庫として関連付けて記憶する構成になっている。
【００２６】
制御部１０２は、ＣＰＵ（ｃｅｎｔｒａｌ  ｐｒｏｃｅｓｓｉｎｇ  ｕｎｉｔ）等の演算制御装置（図示せず）を含み、プログラムを格納するＲＯＭ（ｒｅａｄ−ｏｎｌｙ  ｍｅｍｏｒｙ）等のプログラム格納部（図示せず）を含み、制御部１０２は、格納されたプログラムやネットワークＮを介し外部から送信される各種の要求若しくは入力手段１０４から入力される指示情報などに従って各部の制御を行う。また、そのプログラムを実行するときのワークエリアを構成するシステムメモリや不揮発性ＲＡＭ（ｒａｎｄｏｍ  ａｃｃｅｓｓ  ｍｅｍｏｒｙ）などで構成される記憶手段（図示せず）を含んで構成される。特に、この制御部１０２は、確認間隔を前記放射線薬剤（例えばＦ１８−ＦＤＧ）の半減期よりも短い期間となるように設定している。
【００２７】
また、制御部１０２は、在庫量演算手段（演算手段）１２１及びレポート作成手段１２２を含み、データベースの管理・更新を行い、在庫量に関する報知を実行させる機能を有する。制御部１０２は、受付手段としての機能を有し、通信手段１０１を介して、検査オーダ情報または納入情報を受け付け、或いは、入力手段１０４からの検査における放射線薬剤の投与量または変更情報を受け付ける。
【００２８】
制御部１０２は、まず、検査オーダ装置３から送信された検査オーダ情報を受け付けると、制御部１０２は、表示手段１０３に放射線薬剤の投与量を入力するための画面を表示させる。そして操作者が、入力手段１０４を用いてこの画面から投与量の入力を行うと、制御部１０２は、これを受けて、データベースに、検査オーダ情報の検査日時、患者、部位、及び、入力された投与量を登録する。
【００２９】
つぎに、制御部１０２は、在庫量演算手段１２１により、登録した検査日時の放射線薬剤の在庫量を演算し、データベースに、在庫量を登録する。まず、現時点から検査日時までの経過時間をもとめ、その経過時間における減衰率を求める。ここで、経過時間をｔ、半減期をＴ、減衰率をＦ（ｔ）とすれば、減衰率はＦ（ｔ）は指数関数、Ｆ（ｔ）＝ｅｘｐ（−ｔ／Ｔ）で表される。そして、現時点（確認時）の放射線薬剤の在庫量（図示せず）と減衰率Ｆ（ｔ）との積によって登録した検査日時の放射線薬剤の在庫量が求められる。この在庫量は図２のαに相当する。
【００３０】
ここで、現時点（確認時）における在庫量は、例えば入力手段１０４を用いて入力される。また、現時点において、既に過去に検査が実施されてそのときの在庫量がデータベースに登録されていた場合には、現時点（確認時）における在庫量は、その検査からの経過時間から減衰率を求め、その過去の検査における使用後の在庫量との積から求めることができる。すなわち、過去の検査における使用後の在庫量から、登録した検査日時の放射線薬剤の在庫量を求めることができる。
【００３１】
そして、さらに上記の検査以降に予定される検査が登録された場合には、データベースに、検査オーダ情報の検査日時、患者、部位、及び、投与量が登録されると、その検査の一つ前に予定された検査（前の検査）における検査日時における使用直前の放射線薬剤の在庫量からその一つ前に予定された検査における放射線薬剤の投与量を差し引いて差Ｈを求める。さらに、一つ前に予定された検査の検査日時からの経過時間をもとめ、その経過時間における減衰率を求める。そして、その検査の検査時間における在庫量は、差Ｈと減衰率Ｆ（ｔ）との積によって求められる。これらの在庫量は図２のβ、γ・・・に相当する。
【００３２】
このようにして、各検査について、検査日時、患者、部位、投与量及び在庫量をデータベースに登録する。
【００３３】
ここで、図６を用いて放射線薬剤の減衰の様子を説明する。図６は、減衰の様子を説明するための模式図である。図６に示すように、横軸を時間、縦軸を在庫量、初めの在庫量をＡとすると、経過時間ｔ１の間に関数Ｆ（ｔ）に基づいて減衰し、Ａ×Ｆ（ｔ１）となる。そして、ａが使用されたとすると、Ａ×Ｆ（ｔ１）−ａとなり、その後また経過時間ｔ２の間に関数Ｆ（ｔ）に基づいて減衰して、〔Ａ×Ｆ（ｔ１）−ａ〕×Ｆ（ｔ２）となる。そしてまた関数Ｆ（ｔ）に基づいて減衰する。
【００３４】
また、制御部１０２は、確認時にデータベースの各検査についての投与量と在庫量とを比較して、（投与量）＞（在庫量）すなわち投与量に比べ在庫量が少なくなる検査がある場合に、例えば、制御部１０２は、データベースから在庫量が少なくなる検査の検査日時、患者、部位、投与量及び在庫量とを抽出して、レポート作成手段１２２により図３に示すような警告用レポートを作成し、表示画面１０３に表示する。また、加えてその検査以降にその検査日に行われる検査についての検査時、患者、部位、投与量を抽出して、警告用レポートに表示するようにしてもよい。
【００３５】
図３は警告用レポートの一例である。図３に示す警告用レポートには、まず最上段に、（投与量）＞（在庫量）すなわち投与量に比べ在庫量が少なくなる検査について、その検査日時、患者、部位、投与量及び在庫量を表示し、下段に、在庫量が少なくなる検査以降にその検査日に行われる検査について、その検査時、患者、部位、投与量を表示するようにした。これにより、各検査時間を把握できるので、発注時期を把握することができる。また、この発注時期は、在庫が少なくなるタイミングを表示するので、必要となる以前に発注してしまうことによる無駄を発生することがない。すなわち、本例では、制御部１０２、レポート作成手段１２２及び表示画面１０３により本発明の報知手段を構成する。また、上述のような報知は、表示手段１０３への表示に限らず、例えば、電子メールにより通知することや、音声を出力して報知する手段を用いることも可能である。また、操作者は、この警告用レポートを見て、放射線薬剤の発注を行うわけであるが、上述したようにＦ１８−ＦＤＧの半減期は約２時間と非常に短いため、数日先までの検査に用いる放射線薬剤を同時に発注するようなことはない。したがって、ここで行う発注の対象を在庫量が少なくなる検査と以降にその検査日に行われる検査とした。これにより、少なくとも当日の検査についての放射線薬剤を発注することが可能となるので数日の間に減衰により失われることがない。また、例えば検査時間から、連続的に実施される予定であれば、１回の発注で発注し、検査時間に間隔があれば、２回の発注に分けて発注するというように適宜に発注を行うことが可能となる。
【００３６】
また、操作者が入力手段１０４を操作することにより、レポート作成手段１２２が、例えば、図２に示した構成の表を検査の検査日時における在庫量を示す在庫レポートとして作成させるようにしてもよい。例えば、制御部１０２が表示手段１０３にこの在庫レポートを表示させることにより在庫量を把握することが可能となる。
【００３７】
そして、操作者が上記の警告用レポートや在庫レポートを見て、放射性薬剤の発注を行う。警告用レポートや在庫レポートには、検査の数、検査時間、投与量などが表示されているので、調達先を施設内または薬剤メーカーとするかを検査時間、投与量などの情報をもとに判断しやすい。例えば、操作者が入力手段１０４を操作すると、制御部１０２が、図４に示すような発注用画面を表示手段１０３に表示させる。図４に示すように、発注用画面には、調達日時、調達量を入力するための欄と、施設内または薬剤メーカーの調達先の選択が可能な欄とが表示され、そして操作者が、入力手段１０４を用いてこの発注用画面から調達日時、調達量の入力及び調達先選択を行うと、制御部１０２は、これを受け、発注情報として通信手段１０１を介し、調達先の選択に従ってＡ端末２またはＢ端末４に送信する。Ａ端末２またはＢ端末４では、それぞれの操作者がこの発注に対する回答を納入情報として入力し、Ａ端末２またはＢ端末４は納入情報を在庫管理端末１に送信する。
【００３８】
また、在庫管理端末１は、通信手段１０１を介し、納入情報受け付けると、制御部１０２は、データベースにおける納入情報の納入時期の検査の在庫量に納入量を加算する。そして、以降の検査についての在庫量を在庫量演算手段１２１に演算させ、制御部１０２はデータベースの在庫量の更新を行う。
【００３９】
また、入力手段１０４からの検査における変更情報を受けると、制御部１０２は、データベースのその検査の変更情報に示される検査についての検査日時または放射線薬剤の投与量の変更をする。そして、在庫量演算手段１２１にその検査についての在庫量及び、以降の検査についての在庫量を演算させ、制御部１０２はデータベースの在庫量の更新を行う。
【００４０】
したがって、制御部１０２は納入情報または変更情報に基づき更新を行う本発明の更新手段としての機能を有する。
【００４１】
さらに、制御部１０２は、確認時において、データベースの更新を行った後、データベースの各検査についての投与量と在庫量とを比較して、（投与量）＞（在庫量）、すなわち投与量に比べ在庫量が少なくなる検査がある場合に、レポート作成手段１２２により警告用レポートを作成し、表示画面１０３に表示する。これにより、検査の変更等に伴って適宜発注時期を把握することができる。例えば、発注を変更することにより無駄の発生を抑えることが可能となる。
【００４２】
（データベースへの登録、更新、及び在庫量に関する報知の手順）
次に図５を用いてデータベースへの登録、更新及び在庫量に関する報知の手順について説明する。図５は、在庫管理端末１におけるデータベースへの登録、更新及び在庫量に関する報知の手順を示すフローチャートである。
【００４３】
まず、制御部１０２は、通信手段１０１を介し、または、入力手段１０４から入力を受け付ける。
【００４４】
まず、受け付ける情報が検査情報の場合について説明する。検査オーダ装置３の操作者が検査オーダ装置３の入力手段を操作して、患者名または患者ＩＤ、性別、生年月日、検査日時、検査の対象となる部位を含む検査オーダ情報をネットワークＮを介して在庫管理端末１に送信する。
【００４５】
在庫管理端末１の制御部１０２は、まず、検査オーダ装置３から送信された検査オーダ情報を受け付けると、制御部１０２は、表示手段１０３に放射線薬剤の投与量を入力するための画面を表示させ、そして在庫管理端末１の操作者が、入力手段１０４を用いてこの画面から投与量の入力を行うと（Ｓ１０１，検査情報）、制御部１０２は、これを受けて、データベースに、検査オーダ情報の検査日時、患者、部位及び投与量を登録する（Ｓ１０２）。
【００４６】
つぎに、制御部１０２の在庫量演算手段１２１は、登録した検査時間の放射線薬剤の在庫量を演算し、データベースに、在庫量を登録する（Ｓ１０３）。在庫量は、上述したように、在庫量と放射線薬剤の投与量、及び、放射線薬剤の半減期によって減衰に基づいて求める。在庫量演算手段１２１が、まず、現時点から検査日時までの経過時間をもとめ、その経過時間における減衰率を求める、現在の放射線薬剤の在庫量（図示せず）と減衰率Ｆ（ｔ）との積によって求める。また、さらに上記の検査以降に予定される検査が登録された場合には、データベースに、検査オーダ情報の検査日時、患者、部位、及び、投与量が登録されると、その検査の一つ前に予定された検査（前の検査）における検査日時における使用直前の放射線薬剤の在庫量からその一つ前に予定された検査における放射線薬剤の投与量を差し引いて差Ｈを求める。さらに、一つ前に予定された検査の検査日時からの経過時間をもとめ、その経過時間における減衰率を求める。そして、その検査の検査時間における在庫量は、差Ｈと減衰率Ｆ（ｔ）との積によって求められる。
【００４７】
ここで、データベースに登録した検査についての投与量と在庫量とを比較して（Ｓ１０８）、（投与量）＞（在庫量）となる場合に（Ｓ１０９、Ｙ）、レポート作成手段１２２により例えば図３に示すような警告用レポートを作成し（Ｓ１１０）、制御部１０２は、表示画面１０３にその警告用レポートを表示するように制御する（Ｓ１１１）。
【００４８】
また、受け付ける情報が納入情報の場合について説明する。在庫管理端末１の操作者が、例えば上述のようにして表示された警告用レポートを見て、放射性薬剤の発注を行う。操作者は、施設内のＡ端末２または薬剤メーカーのＢ端末４に、必要な調達日時、調達量を発注情報として送信する。施設内または薬剤メーカーでは、Ａ端末２またはＢ端末４のそれぞれの操作者がこの発注に対する回答を納入情報として入力し、施設内であればＡ端末２、薬剤メーカーであればＢ端末４を用いて、発注に対する回答を納入情報として入力し、納入情報を在庫管理端末１に送信する。在庫管理端末１の制御部１０２は、Ａ端末２またはＢ端末４から送信された納入情報を受け付けると（Ｓ１０１，納入情報）、制御部１０２は、データベースにおける納入情報の納入時期の検査の在庫量に納入量を加算する（Ｓ１０４）。そして、以降の検査についての在庫量を在庫量演算手段１２１により再演算し、制御部１０２はデータベースの在庫量の更新を行う（Ｓ１０５）。
【００４９】
ここで、確認時において、更新した検査について投与量と在庫量とを比較して（Ｓ１０８）、（投与量）＞（在庫量）となる場合に（Ｓ１０９、Ｙ）、レポート作成手段１２２により例えば図３に示すような警告用レポートを作成し（Ｓ１１０）、制御部１０２は、表示画面１０３にその警告用レポートを表示するように制御する（Ｓ１１１）。
【００５０】
また、受け付ける情報が変更情報の場合について説明する。在庫管理端末１の操作者が、入力手段１０４を用いて、検査についての検査日時または放射線薬剤の投与量の変更を示す変更情報の入力を行い、制御部１０２は、変更情報を受け付けると（Ｓ１０１，変更情報）、制御部１０２は、データベースにおける検査について変更情報に示される検査日時または放射線薬剤の投与量に変更をする（Ｓ１０６）。そして、以降の検査についての在庫量を在庫量演算手段１２１により再演算し、制御部１０２はデータベースの在庫量の更新を行う（Ｓ１０７）。
【００５１】
ここで、確認時において、更新した検査について投与量と在庫量とを比較して（Ｓ１０８）、（投与量）＞（在庫量）となる場合に（Ｓ１０９、Ｙ）、レポート作成手段１２２により例えば図３に示すような警告用レポートを作成し（Ｓ１１０）、制御部１０２は、表示画面１０３にその警告用レポートを表示するように制御する（Ｓ１１１）。
【００５２】
このようにして、在庫管理端末１においてデータベースへの登録、更新、及び在庫量に関する報知が行われる。
尚、前記実施形態では、放射線薬剤をＦ１８−ＦＤＧとして説明したが、宅配可能なＰＥＴ製剤が供給された場合には、その薬剤にも適用できるものである。
【図面の簡単な説明】
【００５３】
【図１】本実施の形態に係る在庫管理支援システムの一実施の形態を示す機能ブロック図である。
【図２】図１に示す在庫管理端末の記憶手段に記憶されるデータベースの構成の一例を示す図である。
【図３】警告用レポートの構成の一例を示す図である。
【図４】発注用画面の一例を示す図である。
【図５】本実施の形態におけるデータベースへの登録、更新及び在庫量に関する報知の手順について示すフローチャートである。
【図６】放射線薬剤の減衰の様子を示す模式図である。
【符号の説明】
【００５４】
１  在庫管理端末
２  Ａ端末
３  検査オーダ装置
４  Ｂ端末
１０１  通信手段
１０２  制御部
１０３  表示手段
１０４  入力手段
１０５  記憶手段
１２１  在庫量演算手段
１２２  レポート作成手段
２０１  通信手段
２０２  管理手段
２０３  表示手段
２０４  入力手段
４０１  通信手段
４０２  管理手段
４０３  表示手段
４０４  入力手段
Ｎ  ネットワーク
【図１】
2009023824.tif 000003
【図２】
2009023824.tif 000004
【図３】
2009023824.tif 000005
【図４】
2009023824.tif 000006
【図５】
2009023824.tif 000007
【図６】
2009023824.tif 000008